(57)【要約】【課題】空気調和機の室内機または室外機の内部で発生する電磁波が、室内機または室外機外部へ漏れることを抑制する。【解決手段】電子部品（図示せず）を基板上に実装したプリント基板３５と、このプリント基板３５を収納するとともに、内壁に低透磁性材料を施した電装部２８を有するもので、プリント基板３５上に流れる大電流により発生する電磁波が室内機または室外機外部へ漏れることを遮断または抑制され、外部へ出る電磁波を抑制できる。【選択図】図1 
2005106442.tif 000002
【特許請求の範囲】
【請求項１】
電気部品及び／又は電子部品と、前記部品から発生する電磁波が外部に漏れるのを抑制するように低透磁性材料を配した空気調和機。
【請求項２】
電子部品を基板上に実装したプリント基板と、このプリント基板を収納するとともに、内壁に低透磁性材料を施した電装部を有する請求項１記載の空気調和機。
【請求項３】
構成部品間の嵌合部に低透磁性材料からなるシール材を添付したことを特徴とする請求項１又は２記載の空気調和機。
【請求項４】
電気部品に電源を供給すると共にリアクタを備えた電源回路を備え、前記リアクタを、少なくとも２方向に開口部を有し内面に低透磁性材料を施したリアクタカバーで覆ったことを特徴とする請求項１〜３のいずれか１項記載の空気調和機。
【請求項５】
冷媒を圧縮する圧縮機と、前記圧縮機を覆う防音材を設け、前記防音材に低透磁性材料を施したことを特徴とする請求項１〜４のいずれか１項記載の空気調和機。
【請求項６】
室内機と、冷媒を圧縮する圧縮機を内蔵する室外機と、前記室内機と前記室外機とを電気的に接続する電源線と、前記電源線を接続する電源線取付部と、前記電源線取付部を覆う電源線取付部カバーとを設け、前記電源線取付部カバーに又は／及びその近傍に低透磁性材料を施したことを特徴とする請求項１〜５のいずれか１項記載の空気調和機。
【請求項７】
電源線取付部カバーの外周部の筐体内側に低透磁性材料のシール材を添付したことを特徴とする請求項６記載の空気調和機。
【請求項８】
室内機または室外機の筐体を構成する部材間の嵌合部に、低透磁性材料のシール材を添付したことを特徴とする請求項６〜８のいずれか１項記載の空気調和機。
【発明の詳細な説明】
【技術分野】
【０００１】
本発明は、空気調和機に関するもので、特に電磁波のシールド性を向上させる構造に関するものである。
【背景技術】
【０００２】
従来の空気調和機の室外機の構造を、図９〜１１を用いて説明する。
【０００３】
図９、１０において、室外機１を構成する筐体１ａの天板２と前板３、又は天板２と側板４のそれぞれの嵌合部５にシール材６を設けて、筐体１ａの密閉性を向上させていた。
【０００４】
また、室外機１に内蔵された電子機器（図示せず）を制御する電子制御装置（図示せず）は、周辺部品より電気的に絶縁したり、熱的保護を行う目的で、箱体７に収納されるのが一般的であった。
【０００５】
さらに、図１１に示すように、室外機１の筐体１ａ内を低熱伝導性、低透磁性の仕切構造板８やシール材９を用いて冷媒圧縮機（図示せず）を駆動するインバータ部１０側の空間と電子基板１１側空間に分け、インバータ部１０から放射される熱あるいは電磁波による電子基板１１の誤動作を防止するようにしたものがある（例えば、特許文献１参照）。
【特許文献１】特開平９−４２７５０号公報
【発明の開示】
【発明が解決しようとする課題】
【０００６】
しかしながら、上記従来の構成では、空気の流れという観点での密閉性は対策されているが、電磁波の外部への漏れという観点での対策が行われておらず、各嵌合部５の隙間から筐体１ａの外へ電磁波が漏れるという課題を有していた。
【０００７】
しかしながら、上記課題を有する状態においても、空気調和機を含む各汎用家電製品については、他の機器から悪影響を受けたり、または、他の機器へ悪影響を与えたりしないように規制するための各々のＥＭＣ・ＥＭＩ基準があり、製造事業者は、それらの基準の遵守に努めて来た。
【０００８】
ところが近年、電磁波に対する更なる研究が進み、社会的な関心が高まる中で、ＩＣＮＩＲＰ（国際非電離放射線防護委員会）のガイドラインに見られるように汎用家電製品においても、対電磁波という観点で、何らかの積極的な対策が求められるようになってきた。
【０００９】
本発明は、前記従来の課題を解決するもので、空気調和機から外部へ伝播される電磁波を抑制することを目的とするものである。
【課題を解決するための手段】
【００１０】
前記従来の課題を解決するために、本発明の空気調和機は、電気部品及び／又は電子部品と、前記部品から発生する電磁波が外部に漏れるの抑制するように低透磁性材料を配したもので、電気部品や電子部品から発生する電磁波の外部への漏れが低透磁性材料により、抑制する事ができる。
【発明の効果】
【００１１】
電気部品や電子部品から発生する電磁波の外部への漏れが低透磁性材料により、抑制す
る事ができる。
【発明を実施するための最良の形態】
【００１２】
第１の発明は、電気部品及び／又は電子部品と、前記部品から発生する電磁波が外部に漏れるの抑制するように低透磁性材料を配したもので、電気部品や電子部品から発生する電磁波の外部への漏れが低透磁性材料により、抑制する事ができる。
【００１３】
第２の発明は、特に第１の発明の電子部品を基板上に実装したプリント基板と、このプリント基板を収納するとともに、内壁に低透磁性材料を施した電装部を有するもので、プリント基板上に流れる大電流により発生する電磁波を遮断または、抑制することができるので、空気調和機を構成する室内機または室外機の筐体より外部へ出る電磁波を抑制できる。
【００１４】
第３の発明は、特に、第１又は第２の発明の空気調和機構成部品間の嵌合部に低透磁性材料からなるシール材を添付したもので、内蔵された電子・電気部品で発生する電磁波が嵌合部より外部へ漏れることを抑制することができる。
【００１５】
第４の発明は、特に、第１〜３のいずれか１つの発明の電気部品に電源を供給すると共にリアクタを備えた電源回路を備え、前記リアクタを、少なくとも２方向に開口部を有し内面に低透磁性材料を施したリアクタカバーで覆ったもので、リアクタに電流が流れることで発生する電磁波が筐体外部へ漏れることを抑制するとともに、リアクタで発生する熱が開口部を通過する空気で放熱させる事ができる。
【００１６】
第５の発明は、特に、第１〜４のいずれか１つの発明の空気調和機に、冷媒を圧縮する圧縮機と、前記圧縮機を覆う防音材を設け、前記防音材に低透磁性材料を施したもので、圧縮機に通電することで発生する電磁波の抑制と、圧縮機が動作することにより発生する騒音を低減することができる。
【００１７】
第６の発明は、特に、第１〜５のいずれか１つの発明の空気調和機に、室内機と、冷媒を圧縮する圧縮機を内蔵する室外機と、前記室内機と前記室外機とを電気的に接続する電源線と、前記電源線を接続する電源線取付部と、前記電源線取付部を覆う電源線取付部カバーとを設け、前記電源線取付部カバーに又は／及びその近傍に低透磁性材料を施したもので、電源線取付部から漏れる電磁波を抑制することができる。
【００１８】
第７の発明は、特に、第６の発明の電源線取付部カバーの外周部の筐体内側に低透磁性材料のシール材を添付したもので、電源線取付部のシール性を高めることにより、さらなる電磁波の漏れ防止を期待することができる。
【００１９】
第８の発明は、特に、第６〜８のいずれか１つの発明の室内機または室外機の筐体を構成する部材間の嵌合部に、低透磁性材料のシール材を添付したもので、筐体から漏れる電磁波を抑制、遮断することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における空気調和機の室外機の組立斜視図であり、図２は電装部分のブロック図である。なお、従来例と同一部分に付いては同一符号を付してその説明を省略する。
【００２２】
図において、２０は、室内機２１を経由して室外機２２にＡＣ電源２３を供給する電源線取付部である。この電源線取付部２０を経て供給されたＡＣ電源２３は、リアクタ２４とコンデンサ２５を主用部品とする電源回路２６にてＤＣ電源に整流される。室外機２２の制御装置４８は、このＤＣ電源の一部を電源とする制御部２７によって、制御されている。
【００２３】
２８は制御装置４８を内蔵する電装部で、２９は圧縮機であり電装部２８に内蔵されたインバータ回路３０により駆動される。また３１は圧縮機２９の発する騒音を低減するために圧縮機２９の周囲に配される防音材である。
【００２４】
次に、電装部２８の詳細を説明する。
【００２５】
図３は電装部２８の斜視組み立て図、図４は電装部２８の部分断面図である。
【００２６】
図３、４において、電子回路を実装したプリント基板３５は、プリント基板３５を受ける受け具３６と、受け具３６を覆う蓋３７からなる電装部２８に収納されている。
【００２７】
受け具３６、蓋３７のそれぞれの内壁には、低透磁性材料を用いたシールド材３８が塗布されている。
【００２８】
以上の構成により、プリント基板３５上を流れる電流により発生する電磁波をシールド材３８が吸収または、外部と遮断することにより、電装部２８より外部に漏れる電磁波を抑制することができる。
【００２９】
また、図４中の要部拡大図に示すように、電装部２８を構成する各構成部材、例えば受け具３６と蓋３７の嵌合位置にシール材３９を貼付することにより、さらにシールド性を向上させることができる。
【００３０】
次に、リアクタについて説明する。
【００３１】
図１において、４０は、リアクタ２４を覆うリアクタカバーである。このとき、リアクタ４０の全周をリアクタカバー４０で覆うと、リアクタ２４に流れる電流で発生する熱を放熱することができないので、リアクタ２４に生じる熱を放熱させる空気がリアクタカバー４０の上下に設けられた開口部（図示せず）を通して矢印４１のように上下方向に流れる通路（図示せず）を設けておくと良い。
【００３２】
上記構成により、リアクタ２４にて発生する電磁波の水平方向の伝播を抑制することができる。同様に、熱を放熱する通路を左右、又は前後方向に設けることにより、垂直方向の電磁波の伝播を防止できることはいうまでもない。
【００３３】
次に、圧縮機２９を覆う防音材３１について図５を用いて説明する。図に示すように、低透磁性材料４２に防音材４３を設けたもので圧縮機２９を覆うことにより、圧縮機２９にて発生する電磁波の抑制と圧縮機２９から生じる騒音を抑制することができる。
【００３４】
次に、電源線取付部２０について説明する。図１において、４４は、室内機２１からのＡＣ電源線４７が接続される電源線取付部２０を覆う電源線取付部カバーである。この電源線取付部カバー４４には、図６（ａ）に示すように、低透磁性材料４５を塗布してある。このような構成にすることにより、電源線取付部２０にて生じる電磁波を抑制することができる。また、図６（ｂ）に示すように、シール材４６を電源線取付部カバー４４の外周近傍に設けることにより、更にシールド性を向上させることができる。
【００３５】
（実施の形態２）
図７は、本発明の第２の実施の形態における空気調和機の室外機の筐体１を構成する部材の嵌合部の断面図である。なお、上記第１の実施の形態と同一部分に付いては同一符号を付してその説明を省略する。
【００３６】
図７に示すように、本実施の形態では、筐体１ａを、底面５０と左右の側面４、及び後板５１からなる半筐体に、前板３と天板２を取り付けて構成する。
【００３７】
このとき、前板２の左右端部５２と半筐体の左右の側面４との嵌合部５３に、シール材５４を設ける。同様に、前後板５１、３及び左右側板４と天板２の嵌合部５に、図８に示すようなシール材５５を設ける。なお、これらシール材５４、５５は、従来から使用しているシール材６に低透磁性材料４５を加えたものである。
【００３８】
なお、図７（ａ）、図８（ａ）は、シール材５４、５５を、シール材６と低透磁性材料４５を左右方向に配置して形成した例を示し、図７（ｂ）、図８（ｂ）は、シール材５４、５５を、シール材６と低透磁性材料４５を上下方向に配置して形成した例を示すものである。
【００３９】
上記構成により、嵌合部５３、５４、５から電磁波が漏れることを防止することができる。
【００４０】
なお、上記実施の形態では、室外機２２を例にして説明を行ったが、室内機２１に同様の内容を実施しても、同様の効果を得ることができることは、いうまでもない。
【産業上の利用可能性】
【００４１】
以上のように、本発明の空気調和機は、電気部品や電子部品から発生する電磁波の外部への漏れが抑制できるので、インバータ回路や、大電流部品を内蔵する各種電気機器、電源装置にも適用する事ができる。
【図面の簡単な説明】
【００４２】
【図１】本発明の実施の形態１における空気調和機の室外機の組立斜視図
【図２】同空気調和機の電源ブロック図
【図３】同空気調和機の電装部の部分斜視図
【図４】同電装部の部分断面図
【図５】同空気調和機に使用される防音材の斜視図
【図６】（ａ）同空気調和機の電源電線取付部カバーの斜視図、（ｂ）同電源電線取付部カバーの他の例を示す斜視図
【図７】（ａ）本発明の実施の形態２における空気調和機の筐体の嵌合部の部分断面図、（ｂ）同嵌合部の他の例を示す部分断面図
【図８】（ａ）同筐体の他の嵌合部の部分断面図、（ｂ）同嵌合部の他の例を示す部分断面図
【図９】従来の空気調和機の室外機の組立斜視図
【図１０】同空気調和機の筐体の部分断面図
【図１１】同空気調和機の室外機の斜視図
【符号の説明】
【００４３】
２０    電源線取付部
２２    室外機
２４    リアクタ
２８    電装部
２９    圧縮機
３１    防音材
３５    プリント基板
３９    シール材
４０    リアクタカバー
４４    電源線取付部カバー
４５    低透磁性材料
４６    シール材
４７    電源線
４８    シール材
【図１】
2005106442.tif 000003
【図２】
2005106442.tif 000004
【図３】
2005106442.tif 000005
【図４】
2005106442.tif 000006
【図５】
2005106442.tif 000007
【図６】
2005106442.tif 000008
【図７】
2005106442.tif 000009
【図８】
2005106442.tif 000010
【図９】
2005106442.tif 000011
【図１０】
2005106442.tif 000012
【図１１】
2005106442.tif 000013